(57)【要約】【課題】既設橋梁の橋桁と橋脚の間に新たに免震装置を設置する際の、橋脚に新たにアンカーを埋設して橋脚上のベースプレートに固定する作業を、短時間にかつ簡易に行うことができるアンカーの取付方法を提供する。【解決手段】橋脚１にアンカー１１を埋設する縦穴１ａを開けてアンカー１１を挿入し、橋脚の上方に免震装置のベースプレート１５を配置し、ベースプレート１５のアンカー穴１６をアンカー位置に合わせて配置する。アンカー１１の上面に取り付けられた引張部材２５によってアンカー１１を上方に引っ張りベースプレート１５のアンカー穴１６に位置合わせされる。その後、引張部材２５によってアンカー１６を回転させてアンカー１１上端側の雄ねじ１２をアンカー穴１６の雌ねじ１６ａに螺合させることにより、短時間にアンカー１１がベースプレート１５に取り付けられる。【選択図】図１
2007270424.tif 000002
【特許請求の範囲】
【請求項１】
既設橋梁の上部構造物と下部構造物の間に新たに免震装置を設置する際、該下部構造物に新たにアンカーを埋設する縦穴を開けて該アンカーを挿入し、該下部構造物の上方に前記免震装置のベースプレートを水平に配置し、該アンカーを引っ張り上げて、該ベースプレートに設けたアンカー穴を介して該アンカーを該ベースプレートに取り付けるアンカーの取付方法であって、
前記アンカーの上端側外周面には雄ねじが形成され、さらに該アンカーの上面に引張部材が取り付けられており、
前記ベースプレートのアンカー穴には、前記雄ねじに対応した雌ねじが形成されており、かつ該アンカー穴のアンカー挿入側開口にはガイド部を設けており、
前記引張部材を前記アンカー穴を通して引っ張り上げ、該引張部材によって前記アンカーを回転させることにより、該アンカーと該ベースプレートを螺着固定させることを特徴とするアンカーの取付方法。
【請求項２】
前記アンカーの引張部材は、前記雄ねじとは逆ねじを有するボルト部を有しており、該ボルト部が該アンカーの上面に設けた取付ねじ穴に螺着されることを特徴とする請求項１に記載のアンカーの取付方法。
【発明の詳細な説明】
【技術分野】
【０００１】
本発明は、既設橋梁の上部構造物と下部構造物の間に新たに免震ダンパーや支承装置を設置するために、下部構造物に新たにアンカーを埋設するための縦穴を開けてアンカーを挿入し、アンカーを下部構造物の上方に配置した支承装置のベースプレートに取り付けるアンカーの取付方法に関する。
【背景技術】
【０００２】
橋梁の支承構造については、阪神大震災規模の大地震に耐えられるようにするために、耐震構造を強化する必要があり、特に水平方向の免震性能を高めるために橋梁に緩衝装置や免震ダンパーを取り付けることが提案されている。既設の箱桁構造のプレストレストコンクリート橋では、例えば特許文献１に示すように、橋脚上方に配置した２つの箱桁間を連結部材で連結し、その橋軸直角方向両側にて各箱桁と橋脚間にそれぞれ荷重支持用弾性支承部材が設けられ、連結部材と橋脚間に免震ダンパーである緩衝部材が設けられたものがある。このように、既設橋梁の橋桁と橋脚の間の狭い範囲に新たに免震ダンパーや支承装置（以降「免震装置」と記載する。）を設置する際、橋脚に新たにアンカーを埋設するための縦穴を開けてアンカーを挿入し、橋脚の上方に免震装置の新たなベースプレートを配置し、アンカーを引っ張り上げてベースプレートに設けたアンカー穴に挿入して、アンカーをベースプレートに取り付ける必要がある。
【特許文献１】特開平１０−２９８９２２号
【０００３】
従来、この種のアンカー取付方法としては、予めアンカーをベースプレートのアンカー穴にねじ込んで固定したものを橋脚と橋桁間に挿入して、アンカーを埋設用の縦穴に挿入するねじ固定式、ベースプレートから突出したアンカーの先端にナットを螺着させて固定するナット固定式、ベースプレートに設けたアンカー穴にアンカーボルトを溶接して固定する溶接固定式がある。
【０００４】
ねじ固定式の場合、予めアンカーを取付穴にねじ込んで固定したベースプレートを、既設の橋脚と橋桁の間に挿入して、アンカーを縦穴に差し込むのであるが、既設橋梁の橋脚と橋桁の間は隙間が非常に狭いため、挿入するアンカーの長さが制限される。アンカーは、地震発生の際の免震装置の水平方向への変動をせん断力で受けると共に橋桁の回転変位による引張力を受けるもので、通常線径の１０倍程度の長さが必要とされているが、アンカーの長さが短くなることによりこれら水平方向への変動や回転変位を十分に受け止めることができなくなる。そのため、ねじ固定式では、これら水平方向への変動や回転変位を適正に受け止めるためには、アンカーの本数を非常に多くしなければならず、アンカーのベースプレートへの取り付けと、橋脚に多くの縦穴を設けるための作業時間が非常に長くなるため、現実的な方法ではない。
【０００５】
ナット固定式の場合は、ベースプレートから突出したアンカーの先端にナットを螺着させて固定させればよいので、アンカー固定の手間は少ない。しかし、ナット固定式の場合、ベースプレート上にナットが突出するため、その上にはゴム支承やゴムダンパーを設置することができないので、ゴム支承やゴムダンパーの設置範囲を避けてナットで固定しなければならない。そのため、ベースプレートの面積を大きくしなければならず、ベースプレートの取付スペースが大きくなり、下部構造物の大きさによってはスペース上の制約を受ける可能性があり、また取付コストに加えて製造コストも高価になるという問題がある。以上に述べたように、ねじ固定式及びナット固定式は、種々の問題があるため、従来は主に溶接固定式が採用されていた。
【０００６】
溶接固定式の場合の一例として、図６に示す手順でアンカーの取り付けが行われる。（ｉ）橋脚１に新たにアンカーを埋設するための縦穴２を開けてアンカー３を挿入し、橋脚１の上面に免震装置のベースプレート６を配置する。アンカー３の上端に引張部材４を固定して、引張部材４をベースプレート６に設けたアンカー穴６ａを通す。ベースプレート６上にブロック７を積んで、ブロック７上に支持棒５を載せ、引張部材４の上端を支持棒５に取り付ける。（ｉｉ）てこの原理でブロック７を積み上げて引張部材４を上方に移動させ、それによりアンカー３を引っ張り上げてアンカー穴６ａを通す。（ｉｉｉ）ベースプレート６の上面において、アンカー３上端に連結板８を仮止めし、（ｉｖ）その後、引張部材４とブロック７を外し、（ｖ）連結板８に支持されたアンカー３上端側をアンカー穴６ａに溶接９により固定していた。
【０００７】
しかし、溶接固定式の場合は、アンカー３上端の連結板８への仮止めまでは比較的短時間に行われるが、アンカー３とアンカー穴６ａの隙間全体を溶接で埋めなければならず、溶接時間が非常に長くなるため、アンカー取り付けのコストが高価になるという問題がある。さらに、アンカーとアンカー穴の隙間全体を溶接で均等に埋めなければならず、溶接作業が熟練を要するため溶接の品質を確保することが困難であった。また、溶接作業がアンカー取付現場で行われなければならないため、狭い取付現場に大掛かりな溶接装置を持ち込む必要があり、アンカー取り付け作業前後の装置の準備や整理の手間も煩雑であった。
【発明の開示】
【発明が解決しようとする課題】
【０００８】
本発明は、上記問題を解決しようとするもので、既設橋梁の上部構造物と下部構造物の間に新たに免震装置を設置する際、下部構造物に設けた縦穴に埋設したアンカーを下部構造物上に配置された免震装置のベースプレートに取り付ける作業を、短時間にかつ余分なスペースをとることなく簡易かつ安価に行うことができるアンカーの取付方法を提供することを目的とする。
【課題を解決するための手段】
【０００９】
上記目的を達成するために、本発明の構成上の特徴は、既設橋梁の上部構造物と下部構造物の間に新たに免震装置を設置する際、下部構造物に新たにアンカーを埋設する縦穴を開けてアンカーを挿入し、下部構造物の上方に免震装置のベースプレートを水平に配置し、アンカーを引っ張り上げて、ベースプレートに設けたアンカー穴を介してアンカーをベースプレートに取り付けるアンカーの取付方法であって、アンカーの上端側外周面には雄ねじが形成され、さらにアンカーの上面に引張部材が取り付けられており、ベースプレートのアンカー穴には、雄ねじに対応した雌ねじが形成されており、かつアンカー穴のアンカー挿入側開口にはガイド部を設けており、引張部材をアンカー穴を通して引っ張り上げ、引張部材によってアンカーを回転させることにより、アンカーとベースプレートを螺着固定させることにある。なお、免震装置としては、鉛直荷重を支承する支承装置や水平変位を吸収する免震ダンパー等がある。
【００１０】
上記のように構成した本発明においては、下部構造物に新たにアンカーを埋設する縦穴が開けられて縦穴にアンカーが挿入され、下部構造物の上方に免震装置のベースプレートが平行に配置され、アンカーがベースプレートのアンカー穴に位置合わせされる。アンカーの上面に取り付けられた引張部材によってアンカーが上方に引っ張り上げられて、アンカーの先端がアンカー穴に合わせて係合する。ここで、アンカー穴の雌ねじの下側開口にはガイド部が設けられているため、上方に引っ張られたアンカーの上端がガイド部に導かれてスムーズにアンカー穴に係合して位置合わせされる。このように、アンカー上端がアンカー穴に係合した状態で、引張部材によりアンカーを回転させてアンカー上端側に形成された雄ねじをアンカー穴の雌ねじに螺合させることにより、アンカーがベースプレートにスムーズにかつ短時間に取り付けられる。
【００１１】
その結果、本発明においては、従来の溶接式に比べて溶接の手間がないため、アンカーの取付時間が大幅に短縮され、取付コストが大幅に削減される。また、本発明においては、熟練を要する溶接作業が不要であるため、アンカーの取り付け作業が簡易に行われ、さらに大掛かりな溶接装置を用意する必要がないため、アンカー取り付け作業前後の装置の準備や整理の手間が低減する。また、溶接式の場合はベースプレート上面付近の一部のみの接合になるが、本発明においてはアンカーとベースプレートを螺着固定させるため、両者が接触する面積も多く耐久性も高い。なお、本発明においては、ベースプレートの上面に突出するものがないので、ベースプレートを必要最小限の大きさとすることができ、無駄な取付スペースを必要とせずまた取り付けコストも安価にされる。さらに、本発明においては、適正な長さのアンカーを使用できることにより必要最小限の本数のアンカーで地震による水平方向への変動や回転変位を適正に受け止めることができるため、アンカー取り付け作業がさらに簡易にされる。
【００１２】
また、本発明において、アンカーの引張部材は、雄ねじとは逆ねじを有するボルト部を有しており、ボルト部がアンカーの上面に設けた取付ねじ穴に螺着されることが好ましい。これにより、アンカーの引張部材のボルト部をアンカーの上面に設けた取付ねじ穴に螺着することにより簡単にアンカーに固定でき、また引張部材のボルト部と一緒にアンカーを回転させることにより、引張部材のボルト部が緩むことなくアンカー上端側の雄ねじをスムーズにベースプレートのアンカー穴の雌ねじに螺着させることができる。
【発明の効果】
【００１３】
本発明においては、下部構造物に新たにアンカーを埋設する縦穴を開けてアンカーを挿入し、下部構造物の上方に免震装置のベースプレートを配置し、アンカーの上面に取り付けられた引張部材によってアンカーを上方に引っ張ってアンカー穴に係合させ、引張部材によってアンカーを回転させてアンカー上端側に形成された雄ねじをアンカー穴の雌ねじに螺合させることにより、下部構造物の狭いスペースにおいて必要最小限の数のアンカーを短時間で簡易かつ安価にベースプレートに取り付けることができる。また、本発明においては、アンカーの引張部材にアンカーの雄ねじとは逆ねじを有するボルト部を設けたことにより、引張部材のボルト部が緩むことなく引張部材を簡単にアンカーに固定できると共にアンカーをスムーズにベースプレートに固定できる。
【発明を実施するための最良の形態】
【００１４】
以下、本発明の一実施例について図面を用いて説明する。図１〜図４は、実施例に係る既設橋梁の上部構造物である橋桁と下部構造物である橋脚の間に新たにゴム支承装置を設置するために、橋脚に新たにアンカーを埋設用の穴を開けてアンカーを挿入し、橋脚の上方に配置した支承装置のベースプレートにアンカーに取り付けるアンカーの取付方法を説明図により示したものである。図５は、引張部材によって引っ張られたアンカーがベースプレートのアンカー穴に取り付けられる状態を拡大して一部破断面図により示したものである。以下、アンカーの取付方法について、図１〜図５に基づいて説明する。
【００１５】
まず、橋脚１に新たにアンカー１１を埋設するための長い縦穴２を開けてアンカー１１を挿入し、縦穴２の底部に設けた台２ａにアンカー１１を載せてその先端を縦穴２からわずかに突出させる。アンカー１１は、図５に示すように、上端側外周面に雄ねじ１２が軸方向に所定長さで延びて形成されており、また上端面１１ａ中央には同軸状に軸方向内方に延びる取付ねじ穴１３が形成されている。ベースプレート１５は、橋脚1上面の複数個所に設けた所定高さの支持具１ａ上に水平状態で載置されており、縦穴２の上方に配置されたアンカー穴１６には雌ねじ１６ａが形成されており、さらにアンカー穴１６の一端開口（図１の下端）には雌ねじ１６ａに続いて円錐状に傾斜して端面に向けて広がるガイド部１７を設けている。
【００１６】
ベースプレート１５が橋脚１の上面の支持具１ａ上に載置された状態で、アンカー穴１６が橋脚１の縦穴２に合わせて配置されている。ベースプレート１５上にアンカー穴１６を挟んで一対のブロック１９を載置し、一対のブロック１９を跨いで引上げ棒２１を置き、引上げ棒２１に中継部材２３を介して引張部材２５が取り付けられる。
【００１７】
引張部材２５は、図５に示すように、略長円形で環状の目玉部２６と、目玉部２６の一箇所から同一面上を外方に延びた先端に雄ねじ２７ａの形成されたボルト部２７とが一体で固定されている。目玉部２６のボルト部２７との反対側にはボルト部２７と反対方向に延びた連結部２８を設けている。連結部２８は、目玉部２６と連結されて目玉部２６と同一面上を外方に延びる棒状の継手部２９と、継手部２９の一端に取付られた環状の支持部３１とを設けている。目玉部２６は、軸方向を中心として継手部２９に対して自由に回転ができる構造の継手である。目玉部２６は、図５において矢印Ｘ方向にボルト部２７と一体になって回転するようになっている。
【００１８】
支持部３１は、継手部２９に固定された棒状の基部３２と、継手部２９に回動可能に支持されて先端側が基部３２の先端部に当接して基部３２と共に環状を形成する略Ｕ字状の可動部３３とを有しており、可動部３３を動かすことにより環状が開放されて、中継部材２３に取り付けることが可能になっている。図１に示すように、引張部材２５は、ベースプレート１５のアンカー穴１６を通して垂下し、下端側のボルト部２７をアンカー１１上端の取付ねじ穴１３に螺着することにより、アンカー１１に取り付けられる。
【００１９】
図２に示すように、ベースプレート１５上に、てこの原理でブロック１９をさらに積み重ねて引張部材２５を上方に移動させることにより、アンカー１１を引っ張り上げることができる。引張上げられたアンカー１１の上端は、ベースプレート１５のアンカー穴１６下端のガイド部１７によって雌ねじ１６ａにスムーズに導かれる。その後、図３に示すように、引張部材２５のボルト部２７および目玉部２６を廻すことによりアンカー１１が軸を中心として回転させられ、上端側の雄ねじ１２がアンカー穴１６の雌ねじ１６ａに螺合して上方に移動し、アンカー穴１６に簡易に取り付けられる。その時、引張部材２５のボルト部２７はアンカー１１の雄ねじ１２とは逆ねじになっているため、ボルト部２７が緩んでアンカー１１から引張部材２５が抜けることを防止しつつ、アイボルト２５をベースプレート１５に螺合することができる。さらに、図４に示すように、橋脚１とベースプレート１５の隙間に新たにコンクリート３５を打ち込むことにより、アンカー１１がベースプレート１５に固定された状態で橋脚１に埋設される。
【００２０】
その結果、本実施例においては、従来の溶接式に比べて溶接の手間がないため、アンカー１１の取付時間が大幅に短縮され、取付コストが大幅に削減される。また、本実施例においては、熟練を要する溶接作業が不要であるため、アンカー１１の取り付け作業が簡易に行われ、さらに大掛かりな溶接装置を用意する必要がないため、アンカー取り付け作業前後の装置の準備や整理の手間が低減する。また、本実施例においては、ベースプレート１５の上面に突出するものがないので、ベースプレート１５を必要最小限の大きさとすることができ、無駄な取付スペースを必要とせずまた取り付けコストも安価にされる。さらに、本実施例においては、適正な長さのアンカー１１を使用することができるので、必要最小限の本数で地震による水平方向への変動や回転変位を適正に受け止められるようにアンカー１１をベースプレート１５に固定することができるため、アンカー取り付け作業が簡易にされる。
【００２１】
また、本実施例においては、アンカー１１の引張部材２５をアンカー１１の雄ねじ１２に螺着することにより簡単にアンカー１１に固定でき、また引張部材２５のボルト部２７を回転させることにより、アンカー１１をスムーズにベースプレート１５のアンカー穴１６に螺着させることができる。
【００２２】
なお、上記実施例においては、引張部材が回転可能なボルト部などによりアンカーへの取り付けや取り外しが非常に簡易に行われているが、これに限らず、単に引張部材として市販のアイボルトをアンカーの上面に取り付けた跡に溶接等により固定し、アンカーのベースプレートへの取付後にアイボルトを切断することも可能である。その他、上記実施例に示したアンカー取付方法については、一例であり、本発明の主旨を逸脱しない範囲において、種々の形態で実施することができる。
【産業上の利用可能性】
【００２３】
本発明は、橋梁の下部構造物にアンカーを埋設する縦穴を開けてアンカーを挿入し、橋脚の上方に免震装置のベースプレートを配置し、アンカーの上面に取り付けられた引張部材によってアンカーを上方に引っ張りベースプレートの取付穴に合わせ、引張部材を回転させてアンカー上端側の雄ねじをベースプレートに設けたアンカー穴の雌ねじに螺合させることにより、短時間に簡易かつ安価にアンカーがベースプレートに取り付けられるので、有用である。
【図面の簡単な説明】
【００２４】
【図１】本発明の実施例である橋脚の上面に配置した支承装置のベースプレートにアンカーを取り付けるアンカーの取付方法の一部を示す説明図である。
【図２】同アンカーの取付方法の一部を示す説明図である。
【図３】同アンカーの取付方法の一部を示す説明図である。
【図４】同アンカーの取付方法の一部を示す説明図である。
【図５】引張部材によって引っ張られたアンカーがベースプレートのアンカー穴に取り付けられる状態を拡大して示す一部破断面図である。
【図６】従来例の溶接固定法によるベースプレートにアンカーを取り付けるアンカーの取付方法を説明する説明図である。
【符号の説明】
【００２５】
１…橋脚、２…縦穴、１１…アンカー、１２…雄ねじ、１３…取付ねじ穴、１５…ベースプレート、１６…アンカー穴、１６ａ…雌ねじ、１７…ガイド部、２１…引上げ棒、２３…中継部材、２５…引張部材、２６…目玉部、２７…ボルト部。
【図１】
2007270424.tif 000003
【図２】
2007270424.tif 000004
【図３】
2007270424.tif 000005
【図４】
2007270424.tif 000006
【図５】
2007270424.tif 000007
【図６】
2007270424.tif 000008